(57)【要約】      （修正有）【課題】滑り防止性、衝撃吸収性及び抗菌性に優れた履物用滑り防止パッドを提供する。【解決手段】履物のインソール表面上に装着して使用される履物用滑り防止パッド１であって、このパッドの足裏当接側の中央部がその周縁部よりも隆起しているものである。前記パッドは、最下部の再接着及び再剥離可能な接着フィルム層２と、中間隆起層を形成する衝撃吸収性発泡体層３と、最上層を形成する表面シリコンフィルム層４からなることを特徴とする。【選択図】図３
0003109544.tif 000002
【実用新案登録請求の範囲】
【請求項１】
履物（Ｓ）のインソール表面（Ｓ１）上に装着して使用される履物用滑り防止パッド（１）であって、このパッドの足裏当接側の中央部がその周縁部よりも隆起しているものにおいて、
前記パッド（１）は、最下部にあって前記インソール表面上に接着剥離が自在な接着フィルム層（２）と、前記中間隆起層を形成する衝撃吸収性発泡体層（３）と、最上層を形成する表面シリコンフィルム層（４）からなることを特徴とする履物用滑り防止パッド。
【請求項２】
中間隆起層を形成する衝撃吸収性発泡体層（３）が、熱可塑性エラストマー発泡体である請求項１記載の履物用滑り防止パッド。
【請求項３】
最上層を形成する表面シリコンフィルム層（４）が、シリコンフィルムに超微粒子の無機系抗菌剤を表面に堆積又は埋め込み固定させたものである請求項１又は２記載の履物用滑り防止パッド。
【考案の詳細な説明】
【技術分野】
【０００１】
本考案は履物用滑り防止パッドに関する。本考案が対象とする履物は、履いているだけでつま先が前方に向かって滑る傾向を有するような、踵の高い女性用サンダルやミュール等が最適であるが、その他、一般の靴類に適用することもできる。
【背景技術】
【０００２】
近年、特に、女性において自分の足に合わない履物を履くことにより、外反母趾やハンマートウなどの障害が多く報告されている。この傾向は、特に、踵の高くつま先が細い形のパンプス類やミュール等のサンダル類を履用時に顕著にみられる。これは主に、履物履用中に足裏が履物のインソール表面を前方に向かって滑ることにより、足先が履物のつま先部分に偏りすぎてしまうことが原因であるとされている。とりわけサンダル、ミュール等は、その踵部分の甲被がないか、またはストラップのみで足の踵を支持する構造となっているので、足裏が前方に向かって滑り易く、足先がつま先側に偏りがちである。
【０００３】
従って、従来から履用中に足裏が履物のインソール表面を前方に向かって滑ることを防ぐために履物に組み付けたインソールや、履物のインソール上に装着するための履物用インソールやパッドに関する多くの提案がなされている。
【０００４】
例えば、下記特許文献１の滑り防止パッドは、履物のインソール表面上に装着して使用される透明または半透明のシリコーンゴム製の履物用滑り防止パッドである。このパッドの形状は足裏当接側の中央部がその周縁部よりも隆起しているか、あるいはこのパッドの足裏当接側全体がその側縁部から中央部に向かって隆起しており、前記隆起部分には多数のディンプルを設けてなることを特徴とする。
【特許文献１】実用新案登録第３０８６９４１号
【考案の開示】
【考案が解決しようとする課題】
【０００５】
上記特許文献１におけるシリコンゴムは、スプリング式硬さ試験機を使用した測定（ＪＩＳ Ｋ ６２５３準拠）において２０ないし４０°程度とされている［０００９］。
【０００６】
また、上記特許文献１におけるディンプル（凹状部）は、パッドの隆起部分に凹凸を与え摩擦係数を増加させてそれと接する足裏の滑りを防ぐのと、この部分に当接する足裏へのマッサージ効果のためである、とされている［０００８］。
【０００７】
上記特許文献１の滑り防止パッドは、滑り防止には十分かも知れないが、衝撃吸収及び抗菌性の点で難がある。なぜなら、シリコンゴムだけでは十分なクッション性がないし、ディンプルはゴミや汗などをためて不衛生となりがちであるからである。そこで、本考案は、滑り防止性、衝撃吸収性及び抗菌性に優れた履物用滑り防止パッドを提供することを目的とする。
【課題を解決するための手段】
【０００８】
本考案の履物用滑り防止パッドは、履物のインソール表面上に装着して使用される履物用滑り防止パッドであって、このパッドの足裏当接側の中央部がその周縁部よりも隆起しているものにおいて、前記パッドは、最下部にあって前記インソール表面に接着・剥離が自在な接着フィルム層と、中間隆起層を形成する衝撃吸収性発泡体層と、最上層を形成する表面シリコンフィルム層からなることを特徴とする。
【考案の効果】
【０００９】
本考案の滑り止めパッドは、衝撃吸収性発泡体層を有するので、滑り止め以外に衝撃吸収性を有する。さらに、インソール表面に接着・剥離が自在な接着フィルム層を有するので、汚れたら取り外して洗うことができる。
【考案を実施するための最良の形態】
【００１０】
本考案は、特に限定なく履物に使用できるが、特に踵の高い婦人靴、例えばパンプス、特に、サンダルやミュールに使用することが望ましい。
【００１１】
本考案に係るパッドは、透明、半透明でもよく、また、インソールの色に合わせて着色したものでもよい。
【００１２】
このパッドは、その足裏当接側のほぼ中央部にパッド周縁部分よりも隆起した部分を有する。隆起部分の最も高い部分の厚みは４ｍｍないし８ｍｍ程度が好ましい。この隆起部の外形は円形、楕円形、四角形、三角形等様々な外形を有していてよく、またその大きさは、靴インソール部分に装着可能な大きさであればよいが、例えば、長い部分で６０ないし４０ｍｍ程度、短い部分で５０ｍｍないし３０ｍｍ程度である。
【００１３】
本考案の滑り止めパッドは、再接着及び再剥離可能な接着フィルム層と、衝撃吸収性発泡剤層と、表面シリコンフィルム層からなる。各層の間は熱溶着又は接着剤により接合される。
【００１４】
最下層を形成する再剥離可能な接着フィルム層は、インソール表面に対して接着、剥離、再接着が可能な接着剤を有するものであればどのようなものでもよい。例えばそのような接着剤を塗布したＰＥＴ（テレフタル酸ポリエチレン）を使用することができる。
【００１５】
中間隆起層を形成する衝撃吸収性発泡体層は、発泡処理が施され、その内部に多数の気泡を有する発泡モルタル、ポリエチレン系樹脂、ポリプロピレン系樹脂、ポリウレタン系樹脂、ポリスチレン系樹脂、ポリアクリル系樹脂、オレフィン系又はスチレン系の熱可塑性エラストマー等の合成樹脂よりなる発泡体やポリウレタン系ゴム等の弾性体が挙げられる。
【００１６】
最上層を形成する表面シリコンフィルム層は、たとえばシリコンフィルムに超微粒子の無機系抗菌剤を表面に堆積又は埋め込み固定させたものが使用される。または、抗菌剤を含んだ液を塗布又は噴霧することにより抗菌層を形成してもよい。そのような構成を取ることにより、本考案の滑り止めパッドは、さらに衛生的なものとなる。
【００１７】
本考案の滑り防止パッドの靴インソールへの装着位置は、使用する人の足の形状、また、装着する靴の形状にもよって異なるが、例えば、体重を架けたときに足がつま先側に滑らないようにする位置、即ちパッド隆起周縁部の踵側に通常体重の架かる足裏の第一ないし第二指の中足骨骨頭付近が当接するような位置が好ましい。
【実施例１】
【００１８】
以下、添付の図面に基づき、本考案の一実施例を説明する。
【００１９】
図１はサンダルＳに本考案の滑り防止パッド１を取り付けた状態の斜視図である。図２はこの滑り防止パッド１の平面図、図３は断面図である。
【００２０】
図３に示すように、この滑り防止パッドは３層からなり、各層の間は熱溶着で接着した。
【００２１】
最下層は再剥離可能な接着フィルム層２である。インソール表面に対して接着、剥離、再接着が可能な接着剤を塗布したＰＥＴ（テレフタル酸ポリエチレン）により形成した。
【００２２】
中間層は、接着フィルム層の中央部のみに隆起して形成された衝撃吸収性発泡体層３であり、ウレタン樹脂発泡体により形成した。
【００２３】
最上層は、表面抗菌フィルム層４であり、シリコンフィルムに超微粒子の無機系抗菌剤を表面に埋め込み固定させることにより抗菌層を形成した。図２、図３に見られる多数の円形凸部５は模様であると共に、摩擦係数を高めて、滑り止めの効果を増進させるものである。
【００２４】
この滑り止めパッドは例えば、図１に示すように、体重を架けたときに足がつま先側に滑らないようにする位置、即ちパッド隆起周縁部の踵側に通常体重の架かる足裏の第一ないし第二指の中足骨骨頭付近が当接するような位置に取り付けられる。実際に取り付けてみて、位置が不適当であることが判明したときにはいったん剥がしてから、再び別の位置に取り付けることができる。
【図面の簡単な説明】
【００２５】
【図１】サンダルに本考案の滑り防止パッドを取り付けた状態の斜視図である。
【図２】本考案の滑り防止パッドの平面図である。
【図３】本考案の滑り防止パッドの断面図である。
【符号の説明】
【００２６】
１     滑り防止パッド
２     接着フィルム層
３     衝撃吸収性発泡体層
４     表面シリコンフィルム層
５     円形凸部
Ｓ     サンダル
【図１】
0003109544.tif 000003
【図２】
0003109544.tif 000004
【図３】
0003109544.tif 000005